(57)【要約】【課題】音の流れを認識し易くすることができる演奏指示装置などを提供すること。【解決手段】ＣＰＵ１６は、発音タイミングに先行する予告音タイミングが到来したと判断すると（Ｓ２１：ＹＥＳ）、予告音を放音する（Ｓ２７）。これにより、演奏者は、発音タイミングに先行して、発音すべき音高の音を聴く事ができるため、音の流れを認識し易くなる。また、ＣＰＵ１６は、音高が一致しないと判断することに応じて（Ｓ３３：ＮＯ）、ステップＳ３４をスキップする。これにより、これにより、演奏者が楽曲データ通りに、押すべき鍵を押すことができるまで、演奏者は「ノートナンバー」に対応する音を聴く事ができる。【選択図】図３
2017227786.tif 000002
【特許請求の範囲】
【請求項１】
タイミング情報と音高情報とが対応付けられた音情報を有する楽曲データを取得する楽曲取得手段と、
演奏テンポを取得する演奏テンポ取得手段と、
前記タイミング情報および前記演奏テンポに基づいて、発音タイミングを検出するタイミング検出手段と、
前記楽曲データに基づいて、前記音情報毎に、前記音高情報に対応する、前記発音タイミングに先行する予告音タイミングを示す予告音情報を生成する生成手段と、
前記予告音情報に基づいて、前記予告音タイミングに前記音高情報に応じた音を放音する放音手段と、を備えることを特徴とする演奏指示装置。
【請求項２】
前記予告音タイミングは、前記発音タイミングの所定長前であることを特徴とする請求項１に記載の演奏指示装置。
【請求項３】
音高に対応する操作子が受け付けた操作に応じた音高を示す操作情報を取得する操作取得手段と、
前記発音タイミング以後に、当該発音タイミングに対応する前記音高情報と、前記操作情報が示す音高とが対応するか否かを判定する判定手段と、を備え、
前記予告音タイミングから前記判定手段が対応すると判定するまでの間、前記放音手段は前記予告音の放音を継続することを特徴とする請求項１または請求項２に記載の演奏指示装置。
【請求項４】
演奏指示装置に、
発音タイミングと音高情報とが対応付けられた音情報を複数有する楽曲データを取得する楽譜取得ステップと、
演奏テンポを取得する演奏テンポ取得ステップと
前記タイミング情報および前記演奏テンポに基づいて、発音タイミングを検出するタイミング検出ステップと、
前記楽曲データに基づいて、前記音情報毎に、前記音高情報に対応する、前記発音タイミングに先行する予告音タイミングを示す予告音情報を生成する生成ステップと、
前記予告音情報に基づいて、前記予告音タイミングに前記音高情報に応じた音を放音する放音ステップと、を実行させることを特徴とする演奏指示プログラム。
【請求項５】
演奏指示装置に演奏指示させる方法であって、
発音タイミングと音高情報とが対応付けられた音情報を複数有する楽曲データを取得する楽譜取得ステップと、
演奏テンポを取得する演奏テンポ取得ステップと
前記タイミング情報および前記演奏テンポに基づいて、発音タイミングを検出するタイミング検出ステップと、
前記楽曲データに基づいて、前記音情報毎に、前記音高情報に対応する、前記発音タイミングに先行する予告音タイミングを示す予告音情報を生成する生成ステップと、
前記予告音情報に基づいて、前記予告音タイミングに前記音高情報に応じた音を放音する放音ステップと、を有することを特徴とする演奏指示方法。
【発明の詳細な説明】
【技術分野】
【０００１】
本発明は、演奏指示装置、演奏指示プログラム、および演奏指示方法に関するものである。
【背景技術】
【０００２】
従来より、演奏を指示する機能を備えた楽器がある。特許文献１には、鍵盤の各鍵に設けられたＬＥＤを点灯して演奏者にどの鍵を押下すべきかを指示するガイド機能を備えている電子鍵盤楽器が記載されている。特許文献１に記載の電子鍵盤楽器によれば、演奏者は次にどの鍵を押下するかを視覚的に認識し易くなる。また、特許文献２には、鍵盤を操作すべきタイミングでリズム音を発音する電子楽器が記載されている。特許文献２に記載の電子楽器によれば、演奏者は鍵盤を操作すべきタイミングを認識し易くなる。
【先行技術文献】
【特許文献】
【０００３】
【特許文献１】特開平１０−２４７０５９号公報
【特許文献２】特開平０８−１６０９４８号公報
【発明の概要】
【発明が解決しようとする課題】
【０００４】
しかしながら、ＬＥＤの点灯、あるいはリズム音では、発音すべき音高の音を聴くことができないため、演奏者は演奏曲を構成する音の流れを認識しにくいという課題があった。
【０００５】
本願は、上記の課題に鑑み提案されたものであって、音の流れを認識し易くすることができる演奏指示装置などを提供することを目的とする。
【課題を解決するための手段】
【０００６】
（１）本願に係る演奏指示装置は、タイミング情報と音高情報とが対応付けられた音情報を有する楽曲データを取得する楽曲取得手段と、演奏テンポを取得する演奏テンポ取得手段と、タイミング情報および演奏テンポに基づいて、発音タイミングを検出するタイミング検出手段と、楽曲データに基づいて、音情報毎に、音高情報に対応する、発音タイミングに先行する予告音タイミングを示す予告音情報を生成する生成手段と、予告音情報に基づいて、予告音タイミングに音高情報に応じた音を放音する放音手段と、を備えることを特徴とする。
【０００７】
このようにすると、演奏者は、発音タイミングに先行して、発音すべき音高の音を聴く事ができるため、音の流れを認識し易くなる。
【０００８】
（２）また、予告音タイミングは、発音タイミングの所定長前であることを特徴とする。このようにすると、演奏者は、発音タイミングを基点として、一律に決められた時間前に、音高情報に対応する音を聴く事ができる。所定長としては、楽曲データで規定される時間の長さに基づく時間とすると良い。所定長の単位は、例えば、小節および拍、秒などとすると良い。小節および拍は、演奏テンポに基づき、秒単位に換算する構成とすると良い。
【０００９】
（３）音高に対応する操作子が受け付けた操作に応じた音高を示す操作情報を取得する操作取得手段と、発音タイミング以後に、当該発音タイミングに対応する音高情報と、操作情報が示す音高とが対応するか否かを判定する判定手段と、を備え、予告音タイミングから判定手段が対応すると判定するまでの間、放音手段は予告音の放音を継続することを特徴とする。このようにすると、演奏者が楽曲データ通りに、操作子を正しく操作できるまで、演奏者は音高情報に対応する音を聴く事ができる。
【００１０】
さらに、本願に係る発明は、演奏指示装置の発明に限定されることなく、演奏指示装置に実行させるプログラム、演奏指示装置に演奏指示させる演奏指示方法の発明としても実施し得るものである。
【発明の効果】
【００１１】
本願に係る演奏記録装置などによれば、音の流れを認識し易くすることができる演奏指示装置などを提供することができる。
【図面の簡単な説明】
【００１２】
【図１】実施形態に係る電子鍵盤楽器の電気的構成を示すブロック図である。
【図２】演奏処理の処理内容を示すフローチャートである。
【図３】演奏ガイド処理の前半の処理内容を示すフローチャートである。
【図４】演奏ガイド処理の後半の処理内容を示すフローチャートである。
【発明を実施するための形態】
【００１３】
電子鍵盤楽器１の電気的構成について図１を用いて説明する。電子鍵盤楽器１は、演奏者が鍵盤を操作するのに応じて、演奏音を発音する機能の他に、レッスン機能などを備えている。
【００１４】
電子鍵盤楽器１は、鍵盤１０、検出回路１１、ユーザインターフェース１２、音源回路１３、効果回路１４、サウンドシステム１５、ＣＰＵ１６、第１タイマ３１、ＲＡＭ１８、ＲＯＭ１９、データ記憶部２０、ネットワークインターフェース２１などを備えている。ＣＰＵ１６はＲＯＭ１９に記憶されている各種のプログラムを実行することによって、各部を制御する。ここで、各部とは、バス２２を介してＣＰＵ１６と接続される検出回路１１、ユーザインターフェース１２、音源回路１３、およびネットワークインターフェース２１などである。ＲＡＭ１８は、ＣＰＵ１６が各種の処理を実行するための主記憶装置として用いられる。データ記憶部２０は、ＭＩＤＩ（Musical  Instrument  Digital  Interface；登録商標）形式の楽曲データなどを記憶する。データ記憶部２０は、例えばフラッシュメモリなどで実現される。第１タイマ３１は、ＣＰＵ１６の命令に従って、設定時間までの残り時間をカウントし、残り時間が０となると、ＣＰＵ１６に信号を出力する。
【００１５】
鍵盤１０は音高に対応した鍵を複数備えている。検出回路１１はＭＩＤＩ形式の演奏データを生成するために、鍵盤１０の動きを検出し、検出した演奏検出信号をＣＰＵ１６へ送信する。ＣＰＵ１６は受信した演奏検出信号に基づいてＭＩＤＩ形式の演奏データを生成する。
【００１６】
音源回路１３は、ＭＩＤＩ形式のデータに信号処理を行い、デジタルオーディオ信号を出力する。効果回路１４は、音源回路１３から出力されるオーディオ信号に例えばリバーブなどの効果を付加したデジタルオーディオ信号を出力する。サウンドシステム１５は、不図示のデジタルアナログ変換器、アンプ、およびスピーカなどを有する。デジタルアナログ変換器は、効果回路１４から出力されるデジタルオーディオ信号をアナログオーディオ信号に変換し、アンプへ出力する。アンプは、アナログオーディオ信号を増幅し、スピーカへ出力する。スピーカは入力されるアナログオーディオ信号に応じて発音する。このように、電子鍵盤楽器１は鍵盤１０の操作に応じて、演奏音を発音する。また、データ記憶部２０に記憶されている楽曲データに基づいて、自動演奏音を発音する。以下、自動演奏音を発音することを、再生すると記載する場合がある。
【００１７】
ユーザインターフェース１２は、不図示の液晶ディスプレイおよび電源ボタン、「スタート／ストップ」ボタンなどの複数の操作ボタンなどを有する。ユーザインターフェース１２は、ＣＰＵ１６の命令に従って、例えば各種の設定画面などを液晶ディスプレイに表示する。また、ユーザインターフェース１２は操作ボタンで受け付けた操作を信号としてＣＰＵ１６へ送信する。ネットワークインターフェース２１は、ＬＡＮ通信を行う。ＣＰＵ１６は、ネットワークインターフェース２１および不図示のルータを介してインターネットと接続し、インターネットに接続されている楽曲データを提供するコンテンツサーバから楽曲データをダウンロードすることができる。尚、ＣＰＵ１６はダウンロードした楽曲データをデータ記憶部２０に記憶させる。
【００１８】
尚、ユーザインターフェース１２は、鍵盤１０を操作する演奏者から見て、鍵盤１０の奥側に配置されている。これにより、演奏者は、液晶ディスプレイに表示される表示を見ながら演奏することができる。
【００１９】
次に、電子鍵盤楽器１のレッスン機能について説明する。電子鍵盤楽器１は複数の形態のレッスン機能を有するが、ここでは、鍵を押すべきタイミングである発音タイミングより先行して音にてガイドする形態のレッスン機能について説明する。レッスン機能では、演奏者が「スタート／ストップ」キーを押すと、まず楽曲のイントロ部にあたる伴奏パート（後述）が再生される。楽曲が進行し、発音タイミングの所定時間前になると、演奏者により押すべき鍵が押下されるまで、電子鍵盤楽器１は予告音を発音し続ける。ここで、予告音とは、押すべき鍵の音高と同じ音高を有し、押鍵された場合に発音される音の音色とは異なる音である。演奏者により押すべき鍵が押下されると、電子鍵盤楽器１は予告音の発音を停止する。
【００２０】
次に、レッスン機能に対応した楽曲データについて説明する。楽曲データは、複数のトラックにより構成されている。例えば、第１トラックには、レッスン機能における右手用のデータが収められており、第２トラックには、レッスン機能における左手用のデータが収められており、その他のトラックには、伴奏用のデータが収められている。以下の説明において、第１トラックを右手パート、第２トラックを左手パート、その他のトラックを伴奏パートと記載する場合がある。
【００２１】
トラックは、時間情報とイベントとが１組として構成されているデータが楽曲の進行順に並んで構成されている。ここで、イベントとは、処理の内容を指示するデータである。時間情報とは、処理する時間を指示するデータである。イベントには、「ノートオン」などがある。「ノートオン」は発音を指示するデータである。「ノートオン」には「ノートナンバー」、および「チャンネル」などが付随している。「ノートナンバー」とは、音高を指定するデータである。尚、「チャンネル」をどの音色とするかは、楽曲データにおいて別途指定される。尚、各トラックの時間情報は、再生の際、すべてのトラックが同時に進行するように設定される。
【００２２】
次に、レッスン機能において、ＣＰＵ１６が実行する演奏処理について図２を用いて説明する。電源がＯＮされるとＣＰＵ１６は、演奏処理を開始する。レッスン機能を使用したい演奏者は、まず、ユーザインターフェース１２の操作ボタンを操作して、データ記憶部２０に記憶されている楽曲データの中から、レッスンしたい楽曲データを選択する。ＣＰＵ１６は、選択された楽曲の楽曲データをデータ記憶部２０から読み出して、ＲＡＭ１８に記憶させる（Ｓ１）。次に、演奏者は、ユーザインターフェース１２の操作ボタンを操作して、各種設定を行う。ここで、各種設定とは、テンポの値の設定、パートを右手もしくは左手の何れとするかなどである。ここでは、演奏者は、レッスンするパートとして右手を選択したものとする。ＣＰＵ１６は、テンポおよびパートの設定をＲＡＭ１８に記憶する（Ｓ３）。
【００２３】
次に、ＣＰＵ１６は右手パートの「ノートオン」を抽出し、「ノートオン」に対応する時間情報から所定時間前となる時間情報を算出し、抽出した「ノートオン」を「予告音イベント」として、「予告イベント」に算出した時間情報を対応付けてＲＡＭ１８に記憶する（Ｓ５）。ここで、所定時間前とは、例えば３２分音符の音価、前である。ここで算出する、「時間情報から所定時間前となる時間情報」とは予告音タイミングである。尚、以下の説明において、「予告音イベント」と予告音タイミングとが対応づけられたデータが複数収められたデータを予告音データと記載する。尚、「予告音イベント」には「ノートナンバー」が付随している。
【００２４】
次に、演奏者により「スタート／ストップ」ボタンが押下されたのを検出すると（Ｓ７）、ＣＰＵ１６は楽曲データの再生を開始する（Ｓ９）。詳しくは、ＣＰＵ１６は、伴奏パートのイベントおよび時間情報を順次読み出し、時間情報に基づいたタイミングでイベントを実行する。これにより、伴奏パートの再生が開始される。また、予告音データにおけるデータの読み出しを開始する。ここで、左手パートのデータの読み出しも開始し、左手パートの再生を行う構成としても良い。尚、ＣＰＵ１６は、第１タイマ３１を用いて、時間情報およびテンポなどに基づいてタイミングが到来したか否かを判断する。
【００２５】
次に、ＣＰＵ１６は、演奏終了であるか否かを判断する（Ｓ１１）。ＣＰＵ１６は、「スタート／ストップ」ボタンが押下された場合、および、楽曲データのデータを最後まで読み出した場合、演奏終了であると判断する。演奏終了であると判断することに応じて（Ｓ１１：ＹＥＳ）、演奏処理を終了する。一方、演奏終了でないと判断することに応じて（Ｓ１１：ＮＯ）、演奏ガイド処理を実行する（Ｓ１３）。
【００２６】
演奏ガイド処理について図３、４を用いて説明する。ここでは、予告音タイミングの後に、演奏者により押すべき鍵が押された場合を例に説明する。演奏ガイド処理を開始すると、ＣＰＵ１６は、予告音データから読み出した「予告音イベント」に対応する時間情報に基づいて、予告音タイミングが到来したか否かを判断する（Ｓ２１）。予告音タイミングが到来したと判断することに応じて（Ｓ２１：ＹＥＳ）、予告音が発音中であるか否かを判断する（Ｓ２３）。予告音は発音中であると判断することに応じて（Ｓ２３：ＹＥＳ）、予告音の発音を停止し（Ｓ２５）、ステップＳ２７へ進む。一方、予告音は発音中でないと判断することに応じて（Ｓ２３：ＮＯ）、ステップＳ２５をスキップする。ステップＳ２７では、音源回路１３に「予告音イベント」に付随する「ノートナンバー」に対応する音高の予告音を発音するよう命令する。これにより、予告音が発音される。また、予告音タイミングが到来していないと判断することに応じて（Ｓ２１：ＮＯ）、ステップＳ２１〜Ｓ２７をスキップする。
【００２７】
次に、ＣＰＵ１６は検出回路１１から出力される演奏検出信号に基づいて、押鍵されたか否かを判断する（Ｓ２９）。ここでは、演奏者による押鍵はまだされていないものとして説明する。押鍵されていないと判断することに応じて（Ｓ２９：ＮＯ）、演奏者により離鍵されたか否かを判断する（Ｓ３７）。ここでは、まだ演奏者により離鍵されていないため、離鍵されていないと判断し（Ｓ３７：ＮＯ）、ガイド演奏処理を終了する。
【００２８】
演奏ガイド処理を終了すると、ＣＰＵ１６は演奏処理のステップＳ１１に戻り、ステップ（Ｓ１１：ＮＯ）を実行する。ここでは、まだ、発音中の予告音の次の予告音に対応する予告音タイミングは到来しておらず、演奏者により、押すべき鍵が押されたものとする。ステップ（Ｓ２１：ＮＯ）実行後、ＣＰＵ１６は、押鍵されたと判断することに応じて（Ｓ２９：ＹＥＳ）、予告音が発音中であるかを判断する（Ｓ３１）。発音中であると判断することに応じて（Ｓ３１：ＹＥＳ）、予告音の音高と押された鍵の音高とが一致するか否かを判断する（Ｓ３３）。詳しくは、ＣＰＵ１６は、押された鍵に対応する音高と、ステップＳ２１で読み出した「予告音イベント」に付随する「ノートナンバー」の示す音高とが一致するか否かを判断する。音高が一致すると判断することに応じて（Ｓ３３：ＹＥＳ）、予告音の発音を停止し（Ｓ３４）、音源回路１３に演奏音の発音を命令する（Ｓ３５）。次に、離鍵されたと判断することに応じて（Ｓ３７：ＹＥＳ）、演奏音の発音を停止し（Ｓ３９）、ガイド演奏処理を終了する。
【００２９】
演奏ガイド処理の説明を補足する。予告音の音高と押された鍵の音高とが一致しないとＣＰＵ１６が判断する場合（Ｓ３３：ＮＯ）には、ステップＳ３４をスキップする。これにより、予告音は発音されたまま、ステップＳ３５において、演奏音が発音される。また、発音中でないと判断する場合（Ｓ３１：ＮＯ）には、Ｓ３３，Ｓ３４をスキップする。
【００３０】
ここで、時間情報はタイミング情報の一例であり、「ノートナンバー」は音高情報の一例であり、時間情報とイベントとが１組として構成されているデータは、音情報の一例である。また、ステップＳ３は演奏テンポ取得手段の一例である。また、ステップＳ５は、生成手段の一例である。また、ステップＳ９は、タイミング検出手段の一例である。また、サウンドシステム１５は放音手段の一例である。また、ＣＰＵ１６がステップ（Ｓ２１：ＹＥＳ），Ｓ２７を実行して、サウンドシステム１５が予告音を発音する処理手順は、「予告音タイミングに音高情報に応じた音を放音する」一例である。
【００３１】
また、鍵盤１０は操作子の一例であり、演奏検出信号は操作情報の一例である。また、ステップＳ２１はタイミング取得手段の一例であり、ＣＰＵ１６が演奏検出信号を受信することは、操作取得手段の一例である。ステップＳ３７は判定手段の一例である。
【００３２】
以上、上記した実施形態によれば、以下の効果を奏する。
ＣＰＵ１６は、発音タイミングに先行する予告音タイミングが到来したと判断すると（Ｓ２１：ＹＥＳ）、予告音を放音する（Ｓ２７）。これにより、演奏者は、発音タイミングに先行して、発音すべき音高の音を聴く事ができるため、音の流れを認識し易くなる。
【００３３】
また、予告音タイミングは、発音タイミングの所定時間前であるため、演奏者は、発音タイミングを基点として、一律に決められた時間前に、音高情報に対応する音を聴く事ができる。また、ＣＰＵ１６は、音高が一致しないと判断することに応じて（Ｓ３３：ＮＯ）、ステップＳ３４をスキップする。これにより、これにより、演奏者が楽曲データ通りに、押すべき鍵を押すことができるまで、演奏者は「ノートナンバー」に対応する音を聴く事ができる。
【００３４】
尚、本発明は前記実施形態に限定されるものではなく、本発明の趣旨を逸脱しない範囲内での種々の改良、変更が可能であることは言うまでもない。
演奏処理のステップＳ１では、楽曲データをデータ記憶部２０から読み出して、ＲＡＭ１８に記憶させると説明したが、これに限定されない。楽曲データをＲＡＭ１８に記憶させることなく、ステップＳ５においては、データ記憶部２０から楽曲データを読み出す構成としても良い。
【００３５】
また、楽曲データはデータ記憶部２０に記憶されていると説明したが、これに限定されない。ステップＳ２２において、ネットワークインターフェース２１を介して、サーバから楽曲データをダウンロードする構成としても良い。また、電子鍵盤楽器１の構成は上記に限定されない。楽曲データが記憶されている、例えばＤＶＤ、ＵＳＢメモリなどの記憶媒体とデータの送受を行うインターフェースを備える構成としても良い。また、ネットワークインターフェース２１はＬＡＮ通信を行うと説明したが、これに限定されない。他のネットワーク、例えば、ＭＩＤＩ、ＵＳＢ、Ｂｌｕｅｔｏｏｔｈ（登録商標）などの規格に則った通信を行う構成としても良い。この場合、ネットワークで接続されている、例えば、ＰＣなどの通信機器が記憶している楽曲データ、もしくは、データが送信されて、演奏処理を実行する構成としても良い。
【００３６】
また、楽曲データはＭＩＤＩ形式のデータであると説明したが、これに限定されず、例えば、オーディオデータでもよい。この場合、オーディオデータをＭＩＤＩデータに変換して、演奏処理を実行する構成とすると良い。また、楽曲データは複数のトラックを有すると説明したが、これに限定されず、１つのトラックにデータが記載されている構成としても良い。
【００３７】
また、電子鍵盤楽器１は第１タイマ３１を備えていると説明したが、ＣＰＵ１６がプログラムを実行することで、タイマ機能を実現する構成としても良い。
【００３８】
また、予告音タイミングは発音タイミングの、例えば３２分音符の音価、前とされていると説明したが、時間を限定するものではない。
【００３９】
また、予告音は、押鍵された場合に発音される音の音色とは異なる音であると説明したが、これに限定されず、同じ音色であっても良い。また、例えばステップＳ３において、予告音の音色を演奏者が選択できる構成としても良い。また、予告音は、押すべき鍵が押されるまで、発音され続けると説明したが、これに限定されず、所定長だけ発音され続ける構成としても良いし、例えばステップＳ３において、音価を演奏者が選択できる構成としても良い。また、断続的に発音される構成としても良い。また、予告音にてガイドするか否かを演奏者が選択できる構成としても良い。
【００４０】
また、レッスン機能において、液晶ディスプレイの表示画面にて視覚的に押すべき鍵をガイドする機能を備えていても良い。例えば、表示画面に、演奏箇所付近の、例えば五線譜形式の楽譜を示す構成としても良い。これにより、演奏者は、押すべき鍵を認識することができる。
【００４１】
また、演奏処理において、ＣＰＵ１６はステップＳ５を実行すると説明したが、ステップＳ５を実行しない処理手順としても良い。この場合は、演奏ガイド処理では、右手パートのデータを読み出す構成として、ステップＳ２１において、右手パートの「ノートオン」を読み出すと、ＣＰＵ１６は「ノートオン」に対応する時間情報の所定時間前に予告音を発音するように命令する構成とすると良い。また、この場合、例えば、ネットワークインターフェース２１などのネットワークを介して、楽曲データをデータ単位で都度、読み出す構成としても良い。
【００４２】
また、演奏指示装置として、電子鍵盤楽器１を例示したが、これに限定されない。操作子、操作取得手段、タイミング検出手段、判定手段、放音手段などを互いに別の構成として、ネットワーク接続して、実現しても良い。操作子を、例えば、鍵盤に模した画像をタッチパネルに表示した画面、キーボード、他の楽器などで実現しても良い。操作取得手段を、例えば、演奏音を集音するマイクなどで実現しても良い。また、タイミング検出手段および判定手段を、例えば、ＰＣが備えるＣＰＵなどで実現しても良い。判定手段においては、オーディオデータの波形を比較して判定する構成として実現しても良い。また、放音手段として、例えば、鍵盤などを機械的に駆動させるアクチュエータを備えた楽器などで構成しても良い。
【符号の説明】
【００４３】
１  電子鍵盤楽器
１０  鍵盤
１１  検出回路
１３  音源回路
１５  サウンドシステム
１６  ＣＰＵ
１８  ＲＡＭ
２０  データ記憶部
２１  ネットワークインターフェース
３１  第１タイマ
【図１】
2017227786.tif 000003
【図２】
2017227786.tif 000004
【図３】
2017227786.tif 000005
【図４】
2017227786.tif 000006